【事件の表示】
　特許第２９５３８８０号「ビデオカメラ」の請求項１、２に係る特許に対する特許異議の申立てについて、次のとおり決定する。
【結　論】
　訂正を認める。
　特許第２９５３８８０号の請求項１、２に係る特許を取り消す。
【理　由】
１．手続の経緯
　特許第２９５３８８０号の請求項１、２に係る発明についての出願は、平成４年９月１７日に特許出願され、平成１１年７月１６日にその発明について特許の設定登録がなされ、その後、その特許について、異議申立人吉岡眞一より特許異議の申立てがなされ、平成１２年６月５日付けで取消理由通知がなされ、その指定期間内である平成１２年８月１７日に訂正請求がされた後、平成１２年１１月８日付けで再度取消理由が通知され、その指定期間内である平成１３年１月１５日に再度訂正請求されたものである。なお、平成１２年８月１７日にされた訂正請求は取り下げられた。
　
２．平成１３年１月１５日にされた訂正の適否についての判断
（１）訂正の内容
（ａ）特許請求の範囲の訂正
　請求項１、２を特許請求の範囲の減縮を目的として、以下のとおり訂正するものである。
　
　【請求項１】　撮影レンズ等の光学素子と撮像手段とを備えた撮影光学系を有するビデオカメラにおいて、
　該光学素子上に、光透過率の制御を行うエレクトロクロミック素子が前記撮影光学系における有効光束径の最小となる位置またはその近傍に位置するよう形成されていることを特徴とするビデオカメラ。
　
　【請求項２】　撮影レンズ等の可動の光学素子および固定の光学素子と撮像手段とを備えた撮影光学系を有するビデオカメラにおいて、
　該可動の光学素子を保持する部材とは別に設けられた、該固定の光学素子を保持する光学素子保持部材によって、光透過率の制御を行う物性素子が前記撮影光学系における有効光束径の最小となる位置またはその近傍に位置するよう保持されていることを特徴とするビデオカメラ。
　
（ｂ）発明の詳細な説明の欄の訂正
　誤記の訂正を目的として【０００４】を訂正し、明りょうでない記載の釈明を目的として【０００８】【０００９】【００１３】【００２１】【００３３】【００３４】【００３５】【００３６】を訂正するものである。
　
（２）訂正の目的の適否、新規事項の有無及び拡張・変更の存否
　上記訂正事項（ａ）は、特許請求の範囲の減縮を目的とした明細書の訂正に該当し、また、上記訂正事項（ｂ）は、誤記の訂正又は明りょうでない記載の釈明を目的とした明細書の訂正に該当し、いずれも、新規事項の追加に該当せず、実質的に特許請求の範囲を拡張又は変更するものではない。
　
（３）むすび
　したがって、上記訂正は、特許法第１２０条の４第２項及び同条第３項で準用する第１２６条第２項及び第３項の規定に適合するので、当該訂正を認める。
　
３．特許異議の申立てについての判断
（１）本件発明
　上記２．で示したように上記訂正が認められるから、本件の請求項１、２に係る発明は、上記訂正に係る訂正明細書の特許請求の範囲の請求項１、２に記載された事項に特定されるとおりのものである。（上記２．（１）（ａ）参照）
  　
（２）引用刊行物に記載された発明
（ａ）当審が１２年１１月８日付けで通知した取消理由で引用した刊行物１（特開平２−２０３６８２号公報、甲１号証）には、以下の事項が記載されている。
「撮像すべき対象物を光学画像として取出す光学系と、
　前記光学系により取出された光学画像を電気信号に変換する変換手段と、
　前記光学系により与えられた光学画像に対応する電気信号のうち、所定レベルを越えた部分の信号を抽出する信号抽出手段と、
　前記変換手段の全面に設けられ、前記信号抽出手段からの抽出信号に応答して、前記光学系からの光の透過率を前記抽出信号の大きさに反比例して変化させる光量変化手段とを備えた撮像装置。」（特許請求の範囲）
　「第１図は本発明の一実施例を示す、撮像装置の概略ブロック図である。図を参照して、この撮像装置は、撮像すべき対象物を光学画像として本装置に取込むための光学系５０と、取込まれた光学画像を電気信号に変換するための変換部６０とから構成される。」（第４頁左上欄第１４行ないし第１９行）
　「ＬＣＤ２０は、液晶独特の性質により、印加される電圧の大きさによって光の透過率が変化する。」（第４頁左下欄第１行ないし第２行）
　「撮像すべき画像、すなわち、被写体からの反射光はレンズ系１によってフォーカス調整がなされ、アイリス１０の開口部を通過し集東レンズ１１によって集束されＬＣＤ２０を通過しＣＣＤ１２上に撮像すべき像を結ぶ。（このとき、ＬＣＤ２０の透過率は、そのすべての部分において或る一定の通常値である。）」（第４頁左下欄第１７行ないし右下欄第３行）
　第１図には、光学系５０の端部に液晶素子（ＬＣＤ）２０が設けられた構成が図示されている。
　第１図には、光学系５０のレンズ系１、アイリス１０、集東レンズ１１を保持する部材の集束レンズ１１の近傍にＬＣＤ２０が取り付けられた構成が図示されている。
　
（ｂ）同取消理由で引用した刊行物２（特開昭５８−１４５２７８号公報）には、以下の事項が記載されている。
　「光路中に設置される所定開口となる最小絞り状態が設定された絞り制御可能な絞り装置及び透過率が制御可能なエレクトロクロミック素子と、これら絞り装置及びエレクトロクロミック素子を介した被写体が照射される感光素子と、この感光素子への被写体光照度が所定値以上のとき前記絞り装置を最小絞り制御するとともに前記エレクトロクロミック素子を制御する光量制御手段とを具備する撮像装置。」（特許請求の範囲）
　「第２図は本発明の実施例を示す図である。被写体１０１は、レンズ１０２でとらえられ、所定の最小絞り開口を持つ機械的な絞り装置２０１を通り、さらに、エレクトロクロミック素子２０２を通って撮像管１０４の感光面に結像する。」（第２頁右上欄第８行ないし第１３行）
　「なお、本実施例では、撮像素子として撮像管を用いたがこれに限ることはなく、固体撮像素子を用いたものでもよい。」（第３頁左下欄第１３行ないし第１５行）
　「特に、ビデオカメラに用いた場合の様に被写体の明るさの変化範囲が広く、しかも即効を要求される場合においては効果は絶大である。」（第３頁右下欄第１１行ないし第１３行）
　
（ｃ）同取消理由で引用した刊行物３（特開平１−１０２４０７号公報）には、以下の事項が記載されている。
　「光学的に結合された入力用光ファイバと受光素子、前記入力用光ファイバとこの受光素子の間に位置しー対の対向する透明電極で狭持されたエレクトロクロミック物質からなる少なくとも１個のエレクトロクロミック素子、このエレクトロクロミック素子の光吸収量を制御するためのエレクトロクロミック素子制御回路、前記入力用光ファイバと前記受光素子を光学的に結合するレンズとから成り、前記エレクトロクロミック素子は前記レンズに形成されたことを特徴とする偏光機能を有する受光モジュール。」（特許請求の範囲）
　
（ｄ）同取消理由で引用した刊行物５（特開昭６３−９５４１７号公報）には、以下の事項が記載されている。
　「相対する２枚のガラス板間に液晶を封入し、該ガラス板の内面に透明電極を形成し、該電極に印加する電圧を調整することで光の透過率を変化させることを特徴とする光学フィルタ装置。」（特許請求の範囲）
　「第１図および第２図には本発明の一実施例に係る光学フィルタ装置１０が示されている。
　この実施例の光学フィルタ装置１０は、相対する２枚の円形のガラス板１１、１２間に液晶１３が封入され、各ガラス板１１、１２の内面には透明電極１４、１５が形成され、この電極群は外部端子に接続され、該端子は直流電源１６に接続されて直流電圧が印加される構成となっている。
　このような光学フィルタ装置１０は、第２図に示されるようにカメラの鏡筒１７端部にねじ込み等適当な手段によって装着される。なお、符号１８は鏡筒１７内に配置されたレンズを示している。この光学フィルタ装置１０において、液晶の透過光強度は、第３図に示されるように印加電圧があるしきい値Ｖｔｈを越えると変化始め、ある電圧Ｖｓでほぼ飽和する。従って、直流電源１６の直流電圧を調整すれば任意の透過率を小さくして絞りを開く。逆に深くするには透過率を大きくして絞りを閉じる。この動作は、だた単に電極に加わる直流電圧の大きさを変えるだけで行うことができる。
　なお、本発明の光学フィルタ装置はカメラ一体型磁気記録装置、或いはスチルカメラ等あらゆる種類のカメラに装着して使用することができる。」（第２頁右上欄第８行ないし左下欄第１３行）
　
（ｅ）同取消理由で引用した刊行物６（実願昭５４−２３７５（実開昭５５−１０３６０６）のマイクロフィルム）には、以下の事項が記載されている。
　
　「第１図は、従来の望遠用レンズの鏡胴の上半部の断面図であって、その主要部は、同鏡胴１をカメラ本体（図示されず）に固定する固定枠２と、同固定枠２に対して進退自在に嵌合するレンズ保持枠４とで構成されている。
　上記固定枠２には、前後２群構成の固定の後群レンズＬ３、Ｌ４が支持されており、その後端部には、鏡胴１をカメラ本体（図示されず）に固定するための周知のパヨネット方式のマウント部５が形成されている。そして、同固定枠２の前部には、上記調整用枠３が進退自在に嵌合しており、同調整用枠３の前部に可動の前群レンズＬ１、Ｌ２を支持する上記レンズ保持枠４が進退自在に嵌合している。」（第２頁１５行ないし第３頁８行）
　
（３）請求項１について
（ａ）対比
　請求項１に係る発明（以下、「請求項１発明」という。）と刊行物２に記載されたものを対比すると、両者は、
「撮影レンズ等の光学素子と撮像手段とを備えた撮影光学系を有するビデオカメラにおいて、
　光透過率の制御を行うエレクトロクロミック素子が形成されていることを特徴とするビデオカメラ。」
である点で一致し、以下の点で相違している。
　
相違点１
　請求項１発明においては、エレクトロクロミック素子が、光学素子上に形成されているのに対して、刊行物２にはこのようなことは記載されていない点。
　
相違点２
　請求項１発明においては、エレクトロクロミック素子が、前記撮影光学系における有効光束径の最小となる位置またはその近傍に位置するよう形成されているのに対して、刊行物２にはこのようなことは記載されていない点。
　
（ｂ）判断
相違点１について
　刊行物３には、エレクトロクロミック素子がレンズ（請求項１発明の「光学素子」に相当する。）に形成された受光モジュールが記載されており、刊行物２も刊行物３も光に関連する技術が記載されたものであるから、刊行物３の記載を考慮して、刊行物２に記載されたビデオカメラのエレクトロクロミック素子を光学素子上に形成することは当業者が容易に想到できたことである。
　
相違点２について
　本件明細書の【０００４】には、発明が解決しようとする課題として、「・・・この物性素子を、小型化し・・・たいという要求がある」と記載されており、【００３４】には、効果として、「・・・光透過率の制御を行うエレクトロクロミック素子を・・・撮像光学系の有効光束径の最小となる位置またはその近傍に位置させたので、エレクトロクロミック素子を小型化でき、価格を下げることができるとともに・・・」と記載されているが、「小型化したいという要求」は、物性素子（液晶素子やエレクトロクロミック素子）に限らず、あらゆる素子についていえる一般的な課題、つまり、素子の構成を考える場合における自明な課題にすぎない。（この点については、「特許・実用新案審査基準」の「第ＩＩ部　特許要件」「第２章　新規性・進歩性」の第１６頁第９行ないし第１３行の「引用発明が、請求項に係る発明と共通する課題を意識したものといえない場合は、その課題が自明な課題であるか、容易に着想しうる課題であるかどうかについて、さらに技術水準に基づく検討を要する。例１：本願発明の「費用及び空間を節約するという課題」は、混合機に限らず、あらゆる装置についていえる一般的な課題、つまり、装置の構成を考える場合における自明な課題にすぎない。」という記載を参照してください。「特許・実用新案審査基準」は特許庁のホームページのhttp://www.jpo.go.jp/info/tt1212-045.htmで入手できます。）
　そして、刊行物２のエレクトロクロミック素子が撮像装置（ビデオカメラ）の光路中のどこに位置するように形成してもよいことは当業者には明らかであり、また、刊行物２のエレクトロクロミック素子は撮像光学系における有効光束径と同じ径を有すればよいことも当業者には明らかである。そして、上記のように小型化することは自明な課題であるから、刊行物２に記載されたビデオカメラのエレクトロクロミック素子を撮影光学系における有効光束径の最小となる位置またはその近傍に位置するよう形成し、小型化し価格を下げることは、当業者が容易に想到できたことである。
　
　したがって、請求項１発明は、刊行物２及び３に基づいて当業者が容易に発明できたものである。
　
（４）請求項２について
（ａ）対比
　請求項２に係る発明（以下、「請求項２発明」という。）と刊行物２に記載されたものを対比すると、刊行物２の「エレクトロクロミック素子」が請求項２発明の「光透過率の制御を行う物性素子」に相当するから、両者は、
「撮影レンズ等の光学素子と撮像手段とを備えた撮影光学系を有するビデオカメラにおいて、
　光透過率の制御を行う物性素子が保持されていることを特徴とするビデオカメラ。」
である点で一致し、以下の点で相違している。
　
相違点１
　請求項２発明においては、可動の光学素子および固定の光学素子を備え、該可動の光学素子を保持する部材とは別に設けられた、該固定の光学素子を保持する光学素子保持部材によって、光透過率の制御を行う物性素子が保持されているのに対して、刊行物２にはこのようなことは記載されていない点。
　
相違点２
　請求項１発明においては、光透過率の制御を行う物性素子が、前記撮影光学系における有効光束径の最小となる位置またはその近傍に位置するように保持されているのに対して、刊行物２にはこのようなことは記載されていない点。
　
（ｂ）判断
相違点１について
　刊行物６には、鏡胴１をカメラ本体（図示されず）に固定する固定枠２（本願の「固定の光学素子」に相当する。）と、同固定枠２に対して進退自在に嵌合するレンズ保持枠４（本願の「可動の光学素子」に相当する）とで構成されているものが記載されている。また、刊行物１の第１図には、光学系５０の端部に液晶素子（ＬＣＤ）２０（請求項２発明の「光透過率の制御を行う物性素子」に相当する。）が設けられた構成が示されており、刊行物５には、光の透過率を変化させる光学フィルタ（請求項２発明の「光透過率の制御を行う物性素子」に相当する。）がカメラの鏡筒１７端部にねじ込み等適当な手段によって装着されたものが記載されている。刊行物６並びに刊行物１及び５を考慮して、刊行物２に記載されたビデオカメラを、可動の光学素子および固定の光学素子を備えた撮像光学系を有するようにし、刊行物２に記載された光透過率の制御を行う物性素子（エレクトロクロミック素子）を、可動の光学素子を保持する部材とは別に設けられた、固定の光学素子を保持する光学素子保持部材によって保持されるようにすることは、当業者にとって格別困難なことではない。
　
相違点２について
　請求項１発明の相違点２についての判断と同様な理由により、刊行物２のビデオカメラの光透過率の制御を行う物性素子（エレクトロクロミック素子）を、撮影光学系における有効光束径の最小となる位置またはその近傍に位置するように保持されるようにすることは、当業者が容易に想到できたことである。
　
　したがって、請求項２発明は、刊行物１、２、５及び６に基づいて当業者が容易に発明できたものである。
　
（５）むすび
　以上のとおりであるから、本件の請求項１、２に係る発明についての特許は、特許法第２９条第２項の規定に違反してされたものである。
　したがって、本件の請求項１、２に係る発明についての特許は、特許法第１１３条第２号に該当し、取り消されるべきものである。
　よって、結論のとおり決定する。
【異議決定日】
平成１３年２月１日（２００１．２．１）
【訂正の要旨】
ＩＩ．訂正の内容
（１）特許請求の範囲の欄の訂正
　［請求項１］
　撮影レンズ等の光学素子と撮像手段とを備えた撮影光学系を有するビデオカメラにおいて、
　該光学素子上に
、
エレクトロクロミック素子
前記撮影光学系における有効光束径の最小となる位置またはその近傍に位置するよう
　［請求項２］
　撮影レンズ等の
可動の光学素子および固定の光学素子
　該
可動の光学素子を保持する部材とは別に設けられた、該固定の光学素子
よって、
前記撮影光学系における有効光束径の最小となる位置またはその近傍に位置するよう
　（なお、上記中アンダーラインを付した部分が訂正部分である。）
（２）発明の詳細な説明の欄の訂正
　▲１▼　訂正前明細書の段落０００４の第２行に、
　「Ｅ．Ｃ．（エレクトロ・クロミー）素子」とあるのを、
　「Ｅ．Ｃ．（エレクトロ・クロミ
ック
　▲２▼　訂正前明細書の段落０００８を以下のように訂正する。
　「　　【０００８】
　【課題を解決するための手段】
　上記の目的を達成するために、本願第１の発明では、撮影レンズ等の光学素子と撮像手段とを備えた撮影光学系を有するビデオカメラにおいて、該光学素子上に
、
エレクトロクロミック素子を前記撮影光学系における有効光束径の最小となる位置またはその近傍に位置するよう
　また、本願第２の発明では、撮影レンズ等の
可動の光学素子および固定の光学素子
可動の光学素子を保持する部材とは別に設けられた、該固定の光学素子
よって、
前記撮影光学系における有効光束径の最小となる位置またはその近傍に位置するよう
　▲３▼　訂正前明細書の段落０００９を以下のように訂正する。
　「　　【０００９】
　【作用】
　上記第１の発明によれば、光透過率の制御を行う
エレクトロクロミック素子
撮影光学系における有効光束径の最小となる位署またはその近傍に位置させた
エレクトロクロミック素子
エレクトロクロミック素子
エレクトロクロミック素子
エレクトロクロミック素子
　また、上記第２の発明によれば、
固定の光学素子を保持する
しかも、物性素子を撮影光学系における有効光束径の最小となる位置またはその近傍に位置させたので、物性素子を小型化でき、価格を下げることが可能になる。
　なお、該物性素子と従来の機械的絞り装置を併用することにより、回折の影響を出にくくすることが可能となる。」
　▲４▼　訂正前明細書の段落００１３を以下のように訂正する。
　「　　【００１３】
　２はフォーカスレンズ１ａを保持するフォーカスレンズ保持枠であり、歯車部２ａを有する。３は固定部であり、フォーカスレンズ保持枠２と螺合している。４はズーム用レンズ１ｂの位置を決定するカム溝を有するカム筒であり、固定部３に回転自在に保持されている。５および６はズーム用レンズ１ｂを保持するレンズ枠である。７はフォーカスレンズ保持枠２を回動させるためのフォーカス用モーターである。７ａはモーター出力軸の歯車であり、フォーカスレンズ保持枠２の歯車部２ａと係合している。８はカム筒４を回動させるためのズーム用モーターである。８ａはモーター出力軸の歯車であり、カム筒４の歯車部４ａと係合している。９は透過光量調整を行える液晶等の物性素子であり、撮影光学系の最も撮像面側のレンズと撮像面の間に設けられている。なお、物性素子に隣り合う光学系の少なくとも一方が固定光学系であれば（本実施例では物性素子の被写体側が固定光学系となっている）、固定光学系保持鏡筒１７で物性素子９を保持することができ、容易に物性素子を保持できる。１０はＣＣＤ等の撮像素子である。１１は撮影光学系の光軸である。１２は電子ビューファインダーであり、１３は電子ビューファインダー１２のレンズである。１４はカメラの電源スイッチ、１５はカメラのズーム操作部材である。また、カメラは、カメラ制御回路と、このカメラ制御回路と電気的に接続する記録部と電源とを有する。また、カメラ制御回路はフォーカス用モーター７、ズーム用モーター８、物性素子９、撮像素子１０、電子ビューファインダー１２、電源スイッチ１４、ズーム操作部１５と電気的に接続されている。１６は有効光束であ
り、物性素子９の位置又はその近傍で最小の光束径とな
　▲５▼　訂正前明細書の段落００２１を削除する。
　▲６▼　訂正前明細書の段落００３３を削除する。
　▲７▼　訂正前明細書の段落００３４、００３５、００３６を以下のように訂正する。
　「　　【００３４】
　
（ｉ）
エレクトロクロミック素子
し、かつ撮影光学系の有効光束径の最小となる位置またはその近傍に位置させたので、エレクトロクロミック素子
エレクトロクロミック素子
エレクトロクロミック素子
エレクトロクロミック素子
　【００３５】
　
（ｉｉ）
における固定の光学素子を保持する
しかも物性素子を撮影光学系の有効光束径の最小となる位置またはその近傍に位置させたので物性素子を小型化でき、価格を下げられる効果がある。
　【００３６】
　
（ｉｉｉ）
　（なお、上記中アンダーラインを付した部分が訂正部分である。）
（５４）【発明の名称】
ビデオカメラ
（５７）【特許請求の範囲】
　【請求項１】　撮影レンズ等の光学素子と撮像手段とを備えた撮影光学系を有するビデオカメラにおいて、
　該光学素子上に
、
エレクトロクロミック素子
前記撮影光学系における有効光束径の最小となる位置またはその近傍に位置するよう
　【請求項２】
　撮影レンズ等の
可動の光学素子および固定の光学素子
　該
可動の光学素子を保持する部材とは別に設けられた、該固定の光学素子
よって、
前記撮影光学系における有効光束径の最小となる位置またはその近傍に位置するよう
【発明の詳細な説明】
　【０００１】
　【発明の属する技術分野】
　本発明はビデオカメラに関する。
　【０００２】
　【従来の技術】
　近年、ＣＣＤ等の光電変換素子により撮影光学系により結像した物体像を電気信号に変換し磁気テープ等の記録媒体に記録を行うビデオカメラが普及している。そして、使い易さの面からビデオカメラの小型が要求され、電気回路実装の高密度化やＣＣＤの小型化や、撮影光学系の小型化等により、小型のビデオカメラが開発されている。また、このような、ビデオカメラ撮影光学系の絞りは、開口部分の一部にＮＤフィルターを貼り付けらた絞り羽根と、他の絞り羽根により、絞り開口部面積を調整するものであった。
　【０００３】
　【発明が解決しようとする課題】
　ビデオカメラのさらなる小型化への要求により、撮影光学系もさらに小型化する必要がある。しかし、先に述べた開口面積を調整する機械的な絞りユニットはモーター部が大きいためＣＣＤが小型化された現在では撮影光学系鏡筒に比べ大きいものとなっており、絞りユニットの小型化が撮影光学系鏡筒を小型化する上で大きな課題となっている。
　【０００４】
　それ故、この機械的な絞りユニットの代りに液晶素子やＥ．Ｃ．（エレクトロ・クロミ
ック
　【０００５】
　一方、従来の機械的な絞り装置を搭載しているビデオカメラには次のような問題があった。
　【０００６】
　すなわち、開放絞り径が小さい光学系では、絞り羽根にＮＤフィルターを貼り付けても小絞り状態付近で回折の影響が出て画質が劣化したり、羽根部にＮＤフィルターを貼り付けた絞りでは、絞りによるボケ味が悪いといった問題があった。
　【０００７】
　本発明の目的は、前述の問題を解決したビデオカメラを提供することである。
　【０００８】
　【課題を解決するための手段】
　上記の目的を達成するために、本願第１の発明では、撮影レンズ等の光学素子と撮像手段とを備えた撮影光学系を有するビデオカメラにおいて、該光学素子上に
、
エレクトロクロミック素子を前記撮影光学系における有効光束径の最小となる位置またはその近傍に位置するよう
　また、本願第２の発明では、撮影レンズ等の
可動の光学素子および固定の光学素子
可動の光学素子を保持する部材とは別に設けられた、該固定の光学素子
よって、
前記撮影光学系における有効光束径の最小となる位置またはその近傍に位置するよう
　【０００９】
　【作用】
　上記第１の発明によれば、光透過率の制御を行う
エレクトロクロミック素子
撮影光学系における有効光束径の最小となる位置またはその近傍に位置させた
エレクトロクロミック素子
エレクトロクロミック素子を保持するための専用の保持部材を不要とすることが可能となり、ビデオカメラの大型化を防止できる。
エレクトロクロミック素子の保持を容易に行うことが可能になり、エレクトロクロミック素子への電気配線も行い易くなる
　また、上記第２の発明によれば、
固定の光学素子を保持する
しかも、物性素子を撮影光学系における有効光束径の最小となる位置またはその近傍に位置させたので、物性素子を小型化でき、価格を下げることが可能になる。このため、
　なお、該物性素子と従来の機械的絞り装置を併用することにより、回折の影響を出にくくすることが可能となる。
　【００１０】
　【実施例】
　以下に図を参照しつつ本発明の実施例を説明する
　【００１１】
　図１は本発明の第１実施例のビデオカメラの構成を示した図、図２は本実施例の回路構成を示した図、図３は本実施例のビデオカメラのカメラ制御回路の動作を示したフローチャートである。
　【００１２】
　図１において、１ａはフォーカス用レンズ、１ｂはズーム用レンズ、１ｃは固定レンズであり、該レンズ１ａ〜１ｃにより撮影光学系が構成されている。
　【００１３】
　２はフォーカスレンズ１ａを保持するフォーカスレンズ保持枠であり、歯車部２ａを有する。３は固定部であり、フォーカスレンズ保持枠２と螺合している。４はズーム用レンズ１ｂの位置を決定するカム溝を有するカム筒であり、固定部３に回転自在に保持されている。５および６はズーム用レンズ１ｂを保持するレンズ枠である。７はフォーカスレンズ保持枠２を回動させるためのフォーカス用モーターである。７ａはモーター出力軸の歯車であり、フォーカスレンズ保持枠２の歯車部２ａと係合している。８はカム筒４を回動させるためのズーム用モーターである。８ａはモーター出力軸の歯車であり、カム筒４の歯車部４ａと係合している。９は透過光量調整を行える液晶等の物性素子であり、撮影光学系の最も撮像面側のレンズと撮像面の間に設けられている。なお、物性素子に隣り合う光学系の少なくとも一方が固定光学系であれば（本実施例では物性素子の被写体側が固定光学系となっている）、固定光学系保持鏡筒１７で物性素子９を保持することができ、容易に物性素子を保持できる。１０はＣＣＤ等の撮像素子である。１１は撮影光学系の光軸である。１２は電子ビューファインダーであり、１３は電子ビューファインダー１２のレンズである。１４はカメラの電源スイッチ、１５はカメラのズーム操作部材である。また、カメラは、カメラ制御回路と、このカメラ制御回路と電気的に接続する記録部と電源とを有する。また、カメラ制御回路はフォーカス用モーター７、ズーム用モーター８、物性素子９、撮像素子１０、電子ビューファインダー１２、電源スイッチ１４、ズーム操作部１５と電気的に接続されている。１６は有効光束であ
り、物性素子９の位置又はその近傍で最小の光束径とな
　【００１４】
　図２に本実施例のビデオカメラの回路接続構成を示す。
　【００１５】
　次に、図１〜図３を参照しつつ本実施例のビデオカメラの動作について説明する。
　【００１６】
　カメラの電源スイッチ１４が操作されて電源が投入されているときは、撮像素子１０の映像信号の高周波成分が最高となるようにフォーカス用レンズ１ａを光軸方向に動かしている。フォーカス用レンズ１ａを動かすためにはフォーカス用モーター７を回転させる。そうするとモーター出力軸の歯車７ａは、フォーカスレンズ保持枠２の歯車部２ａと係合しており、また、フォーカスレンズ保持枠は固定部３と螺合しているため、フォーカスレンズ１ａは光軸方向へ移動する。このことにより合焦動作が行われる。
　【００１７】
　露光量の制御は、撮像素子１０に入射する光量が一定となるように物性素子９の光透過量を露光量制御回路により制御する。撮像素子１０による映像は電子ビューファインダー１２に表示され、撮影者が観察できる。（この状態をスタンバイ状態とする。）ズーム操作部材１５が操作されると、ズーム用モーター８が回転する。そして歯車８ａとカム筒４の歯車部４ａは係合しているため、カム筒４が回転し、このためズーム用レンズ１ｂはカム筒４のカムにより光軸方向に移動してズーム動作が行われる。ズーム操作部材１５には、図２に示すズームスイッチ１とズームスイッチ２が設けられており、ズームスイッチ１がＯＮとなると、ズーム用モーター８は正転し、ズーム用レンズ１ｂは広角側へ動き、ズームスイッチ２がＯＮとなるとズーム用モーター８は逆転し、ズーム用レンズ１ｂは望遠側へ動く。なお、ズームスイッチ１とズームスイッチ２は同時にＯＮできないようになっている。
　【００１８】
　撮影者が不図示の撮影ボタンを押すと図２に示す撮影スイッチがＯＮとなり、カメラ制御回路が撮影スイッチがＯＮになったのを確認すると撮影が開始され、撮像素子１０による映像信号をカメラ制御回路により記録部に転送し、記録媒体に記録部制御回路により記録する。このとき前に述べた合焦動作と露光量の調整は行われており、映像信号は電子ビューファインダー１２に表示されている。撮影者が不図示の撮影ボタンをはたすと図２の撮影スイッチがＯＦＦとたり、カメラ制御回路が撮影スイッチがＯＦＦにたったのを確認すると撮影動作が中止され、カメラはスタンバイ状態へ戻る。
　【００１９】
　本実施例では、物性素子９が固定レンズ１ｃの保持鏡筒１７に保持されており、このように固定光学系に隣接する位置に物性素子を配置すれば、専用の保持部材を設けることなく固定光学系の保持鏡筒で物性素子を容易に保持できる。
　【００２０】
　また、光学的ローパスフィルターや撮像素子等に隣接する位置に物性素子を配置しても光学的ローパスフィルターや撮像素子等の保持部材で物性素子を容易に保持できる。
　【００２１】
　（削除）
　【００２２】
　図４は本発明の第２実施例のビデオカメラの構成図であり、図１と同じ符号で表示された構成要素の説明は省略する。本実施例は、物性素子９とは別に絞り羽根等により機械的に開口面積を変化させる絞りユニット１８を設けたことを特徴とする。本実施例では、絞りユニット１８の小絞り状態で物性素子９の光透過率を下げるように構成されているので絞りユニット１８の絞り羽根にＮＤフィルターを設けることなく高輝度の被写体を撮影できる。また、このことにより回折の影響が少なく、絞りのボケ味の良い映像が得られる。
　【００２３】
　次に図５を参照して本発明の第３実施例のビデオカメラについて説明する。なお、図５において図１と同じ符号で表示されている構成要素についての説明は必要がない限り省略する。
　【００２４】
　図５において、９は濃度を調幣することにより透過光量調整を行えるエレクトロクロミック（ＥＣ）素子等の物性素子であり、固定レンズ１ｃに付着されている。
　【００２５】
　本実施例に使用されている物性素子９は例えばガラス表面に遷移金属酸化物等の膜（ＩｒＯｘ，Ｔａ２Ｏ５，ＷＯ３等）を形成したものであり、この膜に電圧を加えることにより膜の光透過量を制御することができる。この膜についてはすでに公知である。
　【００２６】
　１０はＣＣＤ等の撮像素子であり、撮像部１０ａ、カラーフィルター１０ｂ、保護ガラス１０ｃを有する。１９は光学的ローパスフィルターである。
　【００２７】
　なお、本実施例のビデオカメラの各種制御回路の構成は前述の実施例と同じであり、また、動作も同じであるから回路構成の図示及び動作説明は省略する。
　【００２８】
　物性素子９は撮影光学系のどのレンズに形成してもよく、撮影光学系に反射鏡がある場合にはその反射鏡の反射面に形成してもよい。
　【００２９】
　図６は該物性素子９を光学的ローパスフィルター１９の後面に形成した実施例を示している。
　【００３０】
　図７は該物性素子９を撮像素子１０のカラーフィルター１０ｂに形成した本願発明の参考技術例を示している。
　【００３１】
　図８は該物性素子９を撮像素子１０の保護ガラス１０ｃに形成した本願発明の参考技術例を示している。
　【００３２】
　【発明の効果】
　本発明によれば、次のような効果が得られる。
　【００３３】
（削除）
　【００３４】
　
（ｉ）
エレクトロクロミック素子
し、かつ撮影光学系の有効光束径の最小となる位置またはその近傍に位置させたので、エレクトロクロミック素子
とともにエレクトロクロミック素子を保持するための専用の保持部材を不要とすることが可能となる。したがって、ビデオカメラの大型化を防止できる。しかも、エレクトロクロミック素子
エレクトロクロミック素子
　【００３５】
　
（ｉｉ）
における固定の光学素子を保持する
しかも、物性素子を撮影光学系の有効光束径の最小となる位置またはその近傍に位置させたので、物性素子を小型化でき、価格を下げられる効果がある
　【００３６】
　
（ｉｉｉ）
【図面の簡単な説明】
　【図１】
　本発明の第１実施例のビデオカメラの概略構成図。
　【図２】
　図１のビデオカメラの各種回路の接続を表わした図。
　【図３】
　図２に示したカメラ制御回路の動作を示したフローチャート。
　【図４】
　本発明の第２実施例のビデオカメラの概略構成図。
　【図５】
　本発明の第３実施例のビデオカメラの概略構成図。
　【図６】
　本発明の第４実施例のビデオカメラの概略構成図。
　【図７】
　本発明の参考技術例としてのビデオカメラの概略構成図。
　【図８】
　本発明の参考技術例としてのビデオカメラの概略構成図。
　【符号の説明】
　１ａ　フォーカス用レンズ
　１ｂ　ズーム用レンズ
　１ｃ　固定レンズ
　２　フォーカスレンズ保持枠
　２ａ　歯車部
　３　固定部
　４　カム筒
　４ａ　歯車部
　５　レンズ枠
　６　レンズ枠
　７　フォーカス用モーター
　７ａ　歯車
　８　ズーム用モーター
　８ａ　歯車
　９　物性素子
　１０　撮像素子
　１０ａ　撮像部
　１０ｂ　カラーフィルター
　１０ｃ　保護ガラス
　１１　光軸
　１２　電子ビューファインダー
　１３　レンズ
　１４　電源スイッチ
　１５　ズーム操作部材
　１６　有効光束
　１７　固定光学系保持鏡筒
　１８　絞りユニット
　１９　光学的ローパスフィルター